(57)【要約】【課題】複数のキャリアで生成した各信号を同時に送信する場合における最大送信電力の低減許容値を少ない演算量で算出すること。【解決手段】通信装置１００は、複数の物理チャネルを多重した信号を複数のキャリアで生成し、複数のキャリアで生成した各信号を同時に送信する。通信装置１００の算出部１０２は、複数の物理チャネルの振幅の比を示す振幅比情報と、振幅比情報とは異なる複数の物理チャネルの変調パラメータを用いて導出された複数の物理チャネル間の相関の時間平均値と、複数の物理チャネルに含まれる振幅の基準チャネルの複数のキャリア間における振幅の比と、セル間のスクランブリングコードの相違と、に基づいて、複数のキャリアで生成した各信号を多重した信号の送信波形のべき乗の時間平均値を算出する。【選択図】図１
2016039465.tif 000002
【特許請求の範囲】
【請求項１】
複数の物理チャネルを多重した信号を複数のキャリアで生成し、前記複数のキャリアで生成した各信号を同時に送信する通信装置であって、
記憶された複数のキャリア間で使用されるスクランブルコードの組み合わせに応じた前記複数の物理チャネルの変調パラメータを用いて導出された前記複数の物理チャネル間の相関の時間平均値と、前記複数のキャリア間の基準チャネルの振幅の比で補正した前記複数の物理チャネルの振幅の比を示す振幅比情報と、に基づいて、前記複数のキャリアで生成した各信号を多重した信号の送信波形のべき乗の時間平均値を算出する算出部を有することを特徴とする通信装置。
【請求項２】
前記相関の時間平均値を前記複数の物理チャネルの変調パラメータの組み合わせごとに記憶する記憶部を有し、
前記算出部は、前記記憶部に記憶された前記相関の時間平均値の中から前記複数の物理チャネルの変調パラメータを用いて選択した相関の時間平均値に基づいて前記送信波形のべき乗の時間平均値を算出することを特徴とする請求項１に記載の通信装置。
【請求項３】
前記相関の時間平均値を、前記複数のキャリア間におけるスクランブリングコードの組み合わせに応じて記憶する記憶部を有し、
前記算出部は、前記記憶部に記憶された前記相関の時間平均値の中から前記複数のキャリアのスクランブリングコードを用いて選択した相関の時間平均値に基づいて前記送信波形のべき乗の時間平均値を算出することを特徴とする請求項１または２に記載の通信装置。
【請求項４】
複数の物理チャネルを多重した信号を複数のキャリアで生成し、前記複数のキャリアで生成した各信号を同時に送信する通信装置の処理方法であって、
前記複数の物理チャネルの振幅の比を示す振幅比情報と、前記振幅比情報とは異なる前記複数の物理チャネルの変調パラメータを用いて導出された前記複数の物理チャネル間の相関の時間平均値と、前記複数の物理チャネルに含まれる振幅の基準チャネルの前記複数のキャリア間における振幅の比と、セル間のスクランブリングコードの相違と、に基づいて、前記複数のキャリアで生成した各信号を多重した信号の送信波形のべき乗の時間平均値を算出することを特徴とする処理方法。
【請求項５】
前記相関の時間平均値を前記複数の物理チャネルの変調パラメータの組み合わせごとに予め計算しておき、
前記相関の時間平均値の中から前記複数の物理チャネルの変調パラメータを用いて選択した相関の時間平均値に基づいて前記送信波形のべき乗の時間平均値を算出することを特徴とする請求項４に記載の処理方法。
【請求項６】
前記相関の時間平均値を、前記複数のキャリア間におけるスクランブリングコードの組み合わせごとに予め計算しておき、
前記相関の時間平均値の中から前記複数のキャリアのスクランブリングコードを用いて選択した相関の時間平均値に基づいて前記送信波形のべき乗の時間平均値を算出することを特徴とする請求項４または５に記載の処理方法。
【発明の詳細な説明】
【技術分野】
【０００１】
本発明は、通信装置および処理方法に関する。
【背景技術】
【０００２】
従来、３ＧＰＰ（３ｒｄ  Ｇｅｎｅｒａｔｉｏｎ  Ｐａｒｔｎｅｒｓｈｉｐ  Ｐｒｏｊｅｃｔ）では、ＨＳＵＰＡ（Ｈｉｇｈ  Ｓｐｅｅｄ  Ｕｐｌｉｎｋ  Ｐａｃｋｅｔ  Ａｃｃｅｓｓ）方式が標準化されている。ＨＳＵＰＡでは、最大送信電力を低減するＭＰＲ（Ｍａｘｉｍｕｍ  Ｐｏｗｅｒ  Ｒｅｄｕｃｔｉｏｎ）が行われる。ＭＰＲは、例えば、Ｃｕｂｉｃ  Ｍｅｔｒｉｃ（ＣＭ）と呼ばれる送信波形から得られる値に基づいて算出される低減許容値に応じて最大送信電力を低減することによって行われる（例えば、下記非特許文献１参照。）。
【０００３】
また、ＨＳＵＰＡにおいて、送信するベースバンド信号を用いてＣＭ値を算出する方法がある（例えば、下記特許文献１参照。）。また、ＳＣ（Ｓｉｎｇｌｅ  Ｃｅｌｌ）−ＨＳＵＰＡにおいて、ＣＭ値の算出のために、送信信号の送信電力に依存する変調パラメータを含む送信電力依存項と、送信信号の送信電力に依存しない変調パラメータのみを含む時間平均項と、の積和演算を行うことによって送信信号の振幅のべき乗の時間平均を計算する方法がある（例えば、下記特許文献２参照。）。
【０００４】
また、３ＧＰＰでは２キャリアで生成した各信号を同時に送信するＤＣ（Ｄｕａｌ  Ｃｅｌｌ）−ＨＳＵＰＡ方式も標準化されている。
【先行技術文献】
【特許文献】
【０００５】
【特許文献１】国際公開第２００７／１３２９１６号
【特許文献２】国際公開第２０１０／１０９５４８号
【非特許文献】
【０００６】
【非特許文献１】「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｕｓｅｒ  Ｅｑｕｉｐｍｅｎｔ（ＵＥ）ｒａｄｉｏ  ｔｒａｎｓｍｉｓｓｉｏｎ  ａｎｄ  ｒｅｃｅｐｔｉｏｎ（ＦＤＤ）（Ｒｅｌｅａｓｅ  １１）」、３ＧＰＰ  ＴＳ  ２５．１０１  Ｖ１１．９．２、２０１４年０４月
【発明の概要】
【発明が解決しようとする課題】
【０００７】
しかしながら、従来技術では、複数のキャリアで生成した各信号を同時に送信する場合に、最大送信電力の低減許容値の算出にかかる演算量が多いという問題がある。
【０００８】
１つの側面では、本発明は、複数のキャリアで生成した各信号を同時に送信する場合における最大送信電力の低減許容値の算出にかかる演算量の低減を図ることを目的とする。
【課題を解決するための手段】
【０００９】
本発明の一側面によれば、複数の物理チャネルを多重した信号を複数のキャリアで生成し、前記複数のキャリアで生成した各信号を同時に送信する通信装置および通信装置の処理方法であって、前記複数の物理チャネルの振幅の比を示す振幅比情報と、前記振幅比情報とは異なる前記複数の物理チャネルの変調パラメータを用いて導出された前記複数の物理チャネル間の相関の時間平均値と、前記複数の物理チャネルに含まれる振幅の基準チャネルの前記複数のキャリア間における振幅の比と、に基づいて、前記複数のキャリアで生成した各信号を多重した信号の送信波形のべき乗の時間平均値を算出する、通信装置および処理方法が提案される。
【発明の効果】
【００１０】
本発明の一態様によれば、複数のキャリアで生成した各信号を同時に送信する場合における最大送信電力の低減許容値の算出にかかる演算量の低減を図ることができる。
【図面の簡単な説明】
【００１１】
【図１】図１は、実施の形態１にかかる通信装置の構成の一例を示す図である。
【図２】図２は、実施の形態１にかかる端末装置の構成の一例を示す図である。
【図３】図３は、実施の形態１にかかる変調部の構成の一例を示す図である。
【図４】図４は、実施の形態１にかかるＭＰＲ値算出部の構成の一例を示す図である。
【図５】図５は、各セルの送信フォーマットの一例を示す図である。
【図６】図６は、複数のセルを組合せた送信フォーマットの一例を示す図である。
【図７】図７は、各係数テーブルの一例を示す図である。
【図８】図８は、端末装置のハードウェア構成の一例を示す図である。
【図９】図９は、ＤＰＣＣＨの送信電力の更新処理の一例を示すシーケンス図である。
【図１０】図１０は、実施の形態１にかかる端末装置のＭＰＲ値の算出処理の一例を示すフローチャートである。
【図１１】図１１は、実施の形態２にかかるＭＰＲ値算出部の構成の一例を示す図である。
【図１２Ａ】図１２Ａは、実施の形態２にかかる端末装置のＭＰＲ値の算出処理の一例を示すフローチャート（その１）である。
【図１２Ｂ】図１２Ｂは、実施の形態２にかかる端末装置のＭＰＲ値の算出処理の一例を示すフローチャート（その２）である。
【発明を実施するための形態】
【００１２】
以下に図面を参照して、開示技術の好適な実施の形態１，２を詳細に説明する。
【００１３】
（実施の形態１）
（実施の形態１にかかる通信装置の構成の一例）
図１は、実施の形態１にかかる通信装置の構成の一例を示す図である。通信装置１００は、送信部１０１と、算出部１０２と、記憶部１０３と、を有する。送信部１０１は、複数の物理チャネルを多重した信号を複数のキャリアについて生成し、複数のキャリアについて生成した各信号を同時に送信する。
【００１４】
複数の物理チャネルは、例えば拡散コードおよび時間によって多重される各伝送路である。複数のキャリアは、例えば周波数帯域の異なる複数の搬送波を送信する周波数である。一例としては、複数のキャリアは、ＤＣ−ＨＳＵＰＡ（Ｄｕａｌ  Ｃｅｌｌ−Ｈｉｇｈ  Ｓｐｅｅｄ  Ｕｐｌｉｎｋ  Ｐａｃｋｅｔ  Ａｃｃｅｓｓ）における２つの送信周波数に対応する。
【００１５】
まず、送信部１０１は、キャリアごとに、複数の物理チャネルを多重した信号を生成する。そして、送信部１０１は、複数の物理チャネルを多重した信号を同時に送信する。例えば、送信部１０１は、キャリアごとに生成した各信号の少なくとも一部をキャリア間で時間的に重ねて送信する。また、送信部１０１は、例えば、複数のキャリアについて生成した各信号を、算出部１０２によって算出された低減許容値に基づいて制御した送信電力により送信する。低減許容値は、例えば後述するＭＰＲ値（Ｍａｘｉｍｕｍ  Ｐｏｗｅｒ  Ｒｅｄｕｃｔｉｏｎ値）である。
【００１６】
送信部１０１における送信電力の制御は、例えば送信する信号の最大送信電力を、算出部１０２によって算出された低減許容値に応じて低減させることによって行われる。例えば、送信部１０１における送信電力の制御は、送信する信号の最大送信電力を、算出部１０２によって算出された低減許容値の分だけ低減させることによって行われる。
【００１７】
算出部１０２は、送信部１０１における送信電力の制御に用いられる低減許容値を算出するための、送信部１０１によって送信される信号の送信波形のべき乗の時間平均値を算出する。送信波形は、例えば送信アンテナ端で観測される波形である。送信波形のべき乗の時間平均値は、送信波形に応じたＣＭ（Ｃｕｂｉｃ  Ｍｅｔｒｉｃ）値を算出するための値であり、例えば後述する（１）式の（ｖ＿ｎｏｒｍ3）rmsによって表される。
【００１８】
以下において、複数の物理チャネル間の相関の時間平均値を「相関時間平均値」と称する。また、複数のキャリア間における基準チャネルの振幅の比を「基準チャネルの振幅比」と称する。振幅比情報は、送信部１０１によって生成される信号における複数の物理チャネル間の振幅の比を示す情報である。また、振幅比情報は、キャリアごとに得られる情報である。例えば、振幅比情報は、送信部１０１によって信号の生成に用いられる変調パラメータのうちの、各チャネルの振幅を決定するための変調パラメータであり、一例としては、後述するゲインファクタβである。
【００１９】
相関時間平均値は、例えば、送信部１０１によって生成される信号における、振幅を１とした相関時間平均値である。相関時間平均値は、送信部１０１によって信号の生成に用いられる変調パラメータのうちの、振幅比情報とは異なる複数の物理チャネルの変調パラメータを用いて導出される。相関時間平均値を導出するための変調パラメータは、例えば、物理チャネルの振幅に影響を与えない変調パラメータである。例えば、相関時間平均値を導出するための変調パラメータは、送信部１０１によって信号の生成に用いられる変調パラメータのうちの、ゲインファクタβを除く変調パラメータである。また、相関時間平均値は、記憶された複数のキャリア間で使用されるスクランブルコードの組み合わせに応じた値である。
【００２０】
例えば、算出部１０２は、振幅比情報と、相関時間平均値と、基準チャネルの振幅の比と、に基づく演算により、各信号を多重した信号の送信波形のべき乗の時間平均値を算出する。具体的には、算出部１０２は、相関時間平均値と、基準チャネルの振幅の比で補正した振幅比情報と、に基づく演算により、各信号を多重した信号の送信波形のべき乗の時間平均値を算出する。算出部１０２による演算は、例えば、乗算の結果を順次加算する積和演算である。
【００２１】
また、算出部１０２は、算出した送信波形のべき乗の時間平均値を用いて低減許容値を算出し、算出した低減許容値を送信部１０１に出力する。低減許容値は、詳細については（１）式を用いて後述するが、例えば送信波形のべき乗の時間平均値から得られるＣＭ値に基づいて算出される。
【００２２】
次に、送信波形のべき乗の時間平均値を算出するための各情報について説明する。振幅比情報と、相関時間平均値と、基準チャネルの振幅比とは、例えば、送信部１０１における信号の生成に用いられる変調パラメータを用いて算出される。
【００２３】
一例としては、相関時間平均値を導出するための変調パラメータは、コード数、拡散率、変調方式およびチャネライゼーションコードのうちの少なくとも一つを含む。このように、算出部１０２は、振幅比情報を除く変調パラメータを用いることにより、振幅比情報に依存しない相関時間平均値を導出することができる。
【００２４】
ここで、記憶部１０３は、例えば、複数の変調パラメータの組み合わせについて予め算出された相関時間平均値を、変調パラメータの組み合わせごとに記憶する。そして、算出部１０２は、記憶部１０３に記憶された相関時間平均値の中から、複数の物理チャネルの変調パラメータに対応する相関時間平均値を取得する。これにより、算出部１０２は、記憶部１０３に記憶された相関時間平均値の中から、変調パラメータを用いて対象とする物理チャネル間の相関時間平均値を導出することができる。
【００２５】
基準チャネルの振幅比は、キャリア間における基準チャネルの振幅の比である。基準チャネルの振幅比は、一例としては、後述するＤＰＣＣＨ（Ｄｅｄｉｃａｔｅｄ  Ｐｈｙｓｉｃａｌ  Ｃｏｎｔｒｏｌ  Ｃｈａｎｎｅｌ：個別制御チャネル）のキャリア間の振幅比αである。
【００２６】
算出部１０２は、例えば、各キャリアの基準チャネルの振幅に基づいて基準チャネルの振幅比を算出する。算出部１０２が基準チャネルの振幅比を算出するための基準チャネルの振幅は、例えば、通信装置１００の各信号の送信先の通信装置から通信装置１００が受信した制御情報に基づいて設定される。通信装置１００が受信する制御情報は、例えばリソースの割当てを示す情報である。
【００２７】
上述した振幅比情報は、例えば、各キャリアの基準チャネルの振幅を１とした場合のキャリアごとの振幅比である。このため、異なるキャリアにおける各振幅比情報は、基準となる振幅が各キャリアの電力配分に応じて異なっている。
【００２８】
これに対して、算出部１０２は、基準チャネルの振幅比を用いることにより、各キャリアの電力配分に応じた送信波形のべき乗の時間平均値を算出することができる。例えば、算出部１０２は、基準チャネルの振幅比を用いて振幅比情報を補正し、補正した振幅比情報と相関時間平均値との演算により、各キャリアの電力配分に応じた送信波形のべき乗の時間平均値を算出することができる。
【００２９】
ただし、基準チャネルの振幅比と、振幅比情報と、相関時間平均値と、を用いて送信波形のべき乗の時間平均値を算出する手順は、基準チャネルの振幅比を用いて振幅比情報を補正し、補正した振幅比情報と相関時間平均値との演算を行うという手順に限らない。例えば、算出部１０２は、基準チャネルの振幅比と、振幅比情報と、相関時間平均値とを変数に含む積和演算の数式（例えば後述の（６）式、（８）式および（９）式）によって送信波形のべき乗の時間平均値を算出してもよい。
【００３０】
このように、通信装置１００は、予め複数の振幅比情報を除く変調パラメータの組み合わせを計算して記憶しておくので、送信波形のべき乗の時間平均値を算出するための相関時間平均値を導出することができる。そして、通信装置１００は、導出した相関時間平均値および振幅比情報に加えて各キャリアの基準チャネルの振幅比を用いた積和演算により、各キャリアの電力配分に応じた送信波形のべき乗の時間平均値を算出することができる。このため、通信装置１００は、複数のキャリアで生成した各信号を同時に送信する場合における最大送信電力の低減許容値を少ない演算量で算出することができる。
【００３１】
低減許容値を少ない演算量で算出することで、通信装置１００は、例えば、低減許容値を短時間で算出し、送信波形の変動に対する低減許容値の応答速度を向上させることができる。これにより、通信装置１００は、例えば、伝送特性を向上させることができる。また、低減許容値を少ない演算量で算出することで、通信装置１００は、例えば、低減許容値の算出に要する消費電力を低減することができる。
【００３２】
また、記憶部１０３は、相関時間平均値を、複数のキャリア間におけるスクランブリングコードの組み合わせごとに記憶してもよい。スクランブリングコードは、キャリアごとの拡散変調に用いられる拡散コードである。スクランブリングコードの組み合わせは、例えば、複数のキャリアのうちスクランブリングコードが一致するキャリアの数に応じた状態である。一例として、スクランブリングコードの組み合わせは、キャリアが２つである場合は一致または相違のいずれかの状態をとり得る。
【００３３】
また、スクランブリングコードの組み合わせは、キャリアが３つである場合は、例えば、全て一致、２つが一致で且つ残り１つが不一致、３つとも全部相違のうちのいずれか一つの組み合わせをとり得る。ここでは、例として３つの場合を説明したが、４つ以上でもスクランブルコードの一致数に応じた組み合わせとなる。
【００３４】
算出部１０２は、記憶部１０３に記憶された相関時間平均値の中から、複数のキャリアのスクランブリングコードを用いて相関時間平均値を導出する。このため、算出部１０２は、送信波形のべき乗の時間平均値の算出において、スクランブリングコードの組み合わせに応じて変化する相関時間平均値を用いることができる。
【００３５】
上述した相関時間平均値は、スクランブリングコードの組み合わせに応じて変化する。このため、スクランブリングコードの組み合わせに応じた相関時間平均値を取得することにより、相関時間平均値を簡単に導出することができる。したがって、通信装置１００は、記憶されたスクランブルコードの相違を考慮した相関時間平均値を導出することで、複数のキャリアにおける最大送信電力の低減許容値を少ない演算量で算出することができる。
【００３６】
なお、通信装置１００の送信方式は、例えば１個のアンテナを用いて各信号を送信する方式としてもよいし、複数のアンテナを用いて各信号を送信する方式としてもよい。
【００３７】
（実施の形態１にかかる端末装置の構成の一例）
次に、図２を用いて、図１に示した通信装置１００を端末装置によって実現する場合について説明する。ただし、通信装置１００は、端末装置に限らず、基地局装置などの通信装置とすることもできる。一例として、通信方式にＤＣ−ＨＳＵＰＡ（Ｄｕａｌ  Ｃｅｌｌ−Ｈｉｇｈ  Ｓｐｅｅｄ  Ｕｐｌｉｎｋ  Ｐａｃｋｅｔ  Ａｃｃｅｓｓ）を用いる場合について説明する。
【００３８】
図２は、実施の形態１にかかる端末装置の構成の一例を示す図である。図２に示す端末装置２００は、例えば、携帯電話やスマートフォンなどの端末装置である。端末装置２００は、基地局装置などの通信装置と通信を行う。
【００３９】
端末装置２００は、送信フォーマット決定部２０１と、送信データ処理部２０２と、符号化部２０３と、変調部２０４と、ＲＦ（Ｒａｄｉｏ  Ｆｒｅｑｕｅｎｃｙ）部２０５と、ＭＰＲ値算出部２０６と、電力制御部２０７と、アンテナ２０８と、を有する。また、端末装置２００は、復調部２０９と、復号部２１０と、受信データ処理部２１１と、を有する。
【００４０】
送信フォーマット決定部２０１は、受信データ処理部２１１から出力されたＨＳＵＰＡ制御情報を用いて端末装置２００における送信フォーマットを決定する。ＨＳＵＰＡ制御情報は、例えばＨＳＵＰＡ方式における送信を行う際のリソースの割当てを示す情報を含む。
【００４１】
そして、送信フォーマット決定部２０１は、決定した送信フォーマットを示す送信フォーマットの情報を送信データ処理部２０２、符号化部２０３、変調部２０４およびＭＰＲ値算出部２０６へ出力する。送信フォーマットの情報は、例えば、トランスポートのブロックサイズ、各物理チャネルの拡散率、変調方式の情報、および、振幅比情報（ゲインファクタβ）、などを含む。この送信フォーマットの情報には、前に述べた変調パラメータを含んでいる。
【００４２】
また、送信フォーマットの情報は、例えば、Ｅ−ＤＰＤＣＨ（Ｅｎｈａｎｃｅｄ−Ｄｅｄｉｃａｔｅｄ  Ｐｈｙｓｉｃａｌ  Ｄａｔａ  Ｃｈａｎｎｅｌ：エンハンスト個別物理データチャネル）のコード多重数を含む。また、送信フォーマットの情報は、例えば、ゲインファクタβの振幅の基準となる基準チャネル（ＤＰＣＣＨ）の振幅値を含む。
【００４３】
変調方式は、例えば、ＢＰＳＫ（Ｂｉｎａｒｙ  Ｐｈａｓｅ  Ｓｈｉｆｔ  Ｋｅｙｉｎｇ）や、４ＰＡＭ（Ｐｕｌｓｅ  Ａｍｐｌｉｔｕｄｅ  Ｍｏｄｕｌａｔｉｏｎ）などである。ＢＰＳＫは、位相偏移変調方式の一種であり、例えば１ｂｉｔデータを１ｓｙｍｂｏｌに変調する方式である。４ＰＡＭは、パルスの振幅を変調信号に応じて変化させる方式であり、例えば２ｂｉｔデータを１ｓｙｍｂｏｌに変調する方式である。
【００４４】
また、変調方式は、このほかにも、例えば、ＱＰＳＫ（Ｑｕａｄｒａｔｕｒｅ  Ｐｈａｓｅ  Ｓｈｉｆｔ  Ｋｅｙｉｎｇ）や、１６ＱＡＭ（Ｑｕａｄｒａｔｕｒｅ  Ａｍｐｌｉｔｕｄｅ  Ｍｏｄｕｌａｔｉｏｎ）や、６４ＱＡＭ、などであってもよい。
【００４５】
送信データ処理部２０２は、送信フォーマット決定部２０１によって指定された送信フォーマットの情報に含まれるトランスポートのブロックサイズの送信データを生成し、生成した送信データを符号化部２０３へ出力する。
【００４６】
符号化部２０３は、送信フォーマット決定部２０１から出力された送信フォーマットの情報が示す送信フォーマットにより、送信データ処理部２０２から出力された送信データを符号化し、符号化したデータを変調部２０４へ出力する。
【００４７】
変調部２０４は、送信フォーマット決定部２０１から出力された送信フォーマットの情報を用いて、符号化部２０３から出力された符号化データを変調し、変調によって得られたベースバンド送信信号をＲＦ部２０５へ出力する。ＲＦ部２０５は、変調部２０４から出力されたベースバンド送信信号を無線周波数帯域の信号に変換し、変換した信号を、アンテナ２０８を介して送信する。
【００４８】
ＭＰＲ値算出部２０６は、送信フォーマット決定部２０１から出力された送信フォーマットの情報を用いて、例えば下記（１）式によって定義されるＭＰＲ値を演算し、演算結果を電力制御部２０７へ出力する。下記（１）式は、３ＧＰＰ（３ｒｄ  Ｇｅｎｅｒａｔｉｏｎ  Ｐａｒｔｎｅｒｓｈｉｐ  Ｐｒｏｊｅｃｔ）の仕様で定義されているＭＰＲ値算出式の一例である。
【００４９】
【数１】
2016039465.tif 000003
【００５０】
上記（１）式において、ｖ＿ｎｏｒｍは正規化した送信信号の電圧値(振幅)を示す。ｒｍｓ（ｒｏｏｔ  ｍｅａｎ  ｓｑｕａｒｅ）は２乗平均平方根を示す。ｖ＿ｎｏｒｍ＿ｒｅｆはリファレンス信号の電圧値を示す。２０×ｌｏｇ１０（ｖ＿ｎｏｒｍ＿ｒｅｆ3）rmsはリファレンス信号振幅の２乗平均値（定数：１．５２ｄＢ）を示す。ｋは送信フォーマットから決定される定数を示す。ＣＥＩＬ（Ｘ，０．５）はＸを０．５ｄＢ単位で切り上げる演算である。
【００５１】
電力制御部２０７は、ＭＰＲ値算出部２０６から出力されたＭＰＲ値の演算結果を用いて、変調部２０４において物理チャネル（以下「チャネル」と称する）に乗じるゲインファクタβを制御する。変調部２０４は、電力制御部２０７によって制御されるゲインファクタβを用いて、符号化部２０３から出力された符号化データを変調する。このようにβを制御することで、ＲＦ部２０５が送信する信号の送信電力を制御することが可能となる。
【００５２】
また、ＲＦ部２０５は、アンテナ２０８を介して受信されたＨＳＵＰＡ無線通信を行うための制御信号を無線周波数帯域からベースバンド帯域に変換して、変換した制御信号を復調部２０９へ出力する。復調部２０９は、ＲＦ部２０５から出力された制御信号を復調して、復調した制御信号を復号部２１０へ出力する。
【００５３】
復号部２１０は、復調部２０９から出力された制御信号を復号し、復号により得られた制御データを受信データ処理部２１１へ出力する。受信データ処理部２１１は、復号部２１０で復号された制御データからＨＳＵＰＡ制御情報を抽出し、抽出したＨＳＵＰＡ制御情報を送信フォーマット決定部２０１へ出力する。
【００５４】
（実施の形態１にかかる変調部の構成の一例）
図３は、実施の形態１にかかる変調部の構成の一例を示す図である。図３に示すように、変調部２０４には、複数のチャネルの信号が入力される。複数のチャネルは、例えば、ＤＰＣＣＨ（個別物理制御チャネル）、Ｅ−ＤＰＣＣＨ（Ｅｎｈａｎｃｅｄ−ＤＰＣＣＨ：エンハンスト個別物理制御チャネル）を含む。また、複数のチャネルは、例えば、Ｅ−ＤＰＤＣＨ（エンハンスト個別物理データチャネル）、ＨＳ−ＤＰＣＣＨ（Ｈｉｇｈ  Ｓｐｅｅｄ−Ｄｅｄｉｃａｔｅｄ  Ｐｈｙｓｉｃａｌ  Ｃｏｎｔｒｏｌ  Ｃｈａｎｎｅｌ：高速専用物理制御チャネル）を含む。
【００５５】
変調部２０４は、Ｐ（Ｐｒｉｍａｒｙ）セルおよびＳ（Ｓｅｃｏｎｄａｒｙ）セルに対応するキャリアごとに各チャネルの信号を変調する。変調部２０４は、拡散部３０１ａ〜３０１ｇと、乗算部３０２ａ〜３０２ｇと、ＩＱマッピング部３０３ａ〜３０３ｇと、加算部３０４ａ，３０４ｂと、乗算部３０５ａ，３０５ｂと、を有する。また、変調部２０４は、ＲＲＣ（Ｒｏｏｔ  Ｒａｉｓｅｄ  Ｃｏｓｉｎｅ）フィルタ３０６ａ，３０６ｂと、周波数シフト部３０７ａ，３０７ｂと、加算部３０８と、を有する。
【００５６】
拡散部３０１ａ〜３０１ｇと、乗算部３０２ａ〜３０２ｇと、ＩＱマッピング部３０３ａ〜３０３ｇとは、複数のチャネルに対応して設けられる。拡散部３０１ａ〜３０１ｇは、各チャネルの入力信号を、送信フォーマット決定部２０１によって決定された拡散コードによって拡散し、拡散した信号をそれぞれ対応する乗算部３０２ａ〜３０２ｇへ出力する。拡散コードは、例えば、各チャネルを拡散変調するためのチャネライゼーションコードである。
【００５７】
乗算部３０２ａ〜３０２ｇは、拡散部３０１ａ〜３０１ｇから出力された信号に、送信フォーマット決定部２０１によって決定されたゲインファクタβを乗じることによって、拡散信号の振幅を調整する。乗算部３０２ａ〜３０２ｇは、振幅調整した拡散信号をそれぞれ対応するＩＱマッピング部３０３ａ〜３０３ｇへ出力する。
【００５８】
ＰセルにおけるＩＱマッピング部３０３ａ〜３０３ｄは、乗算部３０２ａ〜３０２ｄから出力された拡散信号を予め各チャネルで規定されているとおり、Ｉ（Ｉｎｐｈａｓｅ）成分またはＱ（Ｑｕａｄｒａｔｕｒｅ）成分にマッピングし、マッピングした拡散信号を加算部３０４ａへ出力する。加算部３０４ａは、ＩＱマッピング部３０３ａ〜３０３ｄから出力された拡散信号に対して、Ｉ成分、Ｑ成分ごとに拡散信号を加算してＩＱ複素信号を生成し、乗算部３０５ａへ出力する。
【００５９】
乗算部３０５ａは、加算部３０４ａから出力された信号にＰセルのスクランブリングコード（Ｓｃｒａｍｂｌｉｎｇ  Ｃｏｄｅ）＃１を乗じて、スクランブリングコード＃１を乗じた信号をＲＲＣフィルタ３０６ａへ出力する。スクランブリングコードは、例えば、チャネルをセットアップするときに、基地局装置によって指定されるコードである。スクランブリングコードは、セルごとに異なっていてもよい。
【００６０】
ＲＲＣフィルタ３０６ａは、乗算部３０５ａから出力された信号の波形を補正し、波形を補正した信号（Ｉ1＋ｊＱ1）を周波数シフト部３０７ａへ出力する。周波数シフト部３０７ａは、ＲＲＣフィルタ３０６ａから出力された信号の周波数を、例えば＋２．５ＭＨｚシフトさせ、周波数をシフトさせた信号を加算部３０８へ出力する。
【００６１】
ＳセルにおけるＩＱマッピング部３０３ｅ〜３０３ｇは、乗算部３０２ｅ〜３０２ｇから出力された拡散信号を予め各チャネルで規定されているとおり、Ｉ成分またはＱ成分にマッピングし、マッピングした拡散信号を加算部３０４ｂへ出力する。加算部３０４ｂは、ＩＱマッピング部３０３ｅ〜３０３ｇから出力された拡散信号に対して、Ｉ成分、Ｑ成分ごとに拡散信号を加算してＩＱ複素信号を生成し、乗算部３０５ｂへ出力する。
【００６２】
乗算部３０５ｂは、加算部３０４ｂから出力された信号にＳセルのスクランブリングコード＃２を乗じて、スクランブリングコード＃２を乗じた信号をＲＲＣフィルタ３０６ｂへ出力する。ＲＲＣフィルタ３０６ｂは、乗算部３０５ｂから出力された信号の波形を補正し、波形を補正した信号（Ｉ2＋ｊＱ2）を周波数シフト部３０７ｂへ出力する。
【００６３】
周波数シフト部３０７ｂは、ＲＲＣフィルタ３０６ｂから出力された信号の周波数を、例えば−２．５ＭＨｚシフトさせ、周波数をシフトさせた信号を加算部３０８へ出力する。なお、周波数シフト部３０７ａ，３０７ｂがシフトさせる周波数は、相対的に所定量（例えば５ＭＨｚ）あればよく、上述した値に限らず、それぞれ別の値であってもよい。また、例えば、周波数シフト部３０７ａ，３０７ｂのうちの一方のみを＋５ＭＨｚまたは−５ＭＨｚシフトさせ、他方についてはシフトさせないでもよい。
【００６４】
加算部３０８は、周波数シフト部３０７ａから出力された信号と、周波数シフト部３０７ｂから出力された信号とを加算し、加算した信号（Ｉ＋ｊＱ）をＲＦ部２０５（図２参照）へ出力する。
【００６５】
（送信波形のべき乗の時間平均値の算出）
ＭＰＲ値算出部２０６は、ＭＰＲ値を算出するために、送信波形のべき乗の時間平均値である上記（１）式の（ｖ＿ｎｏｒｍ3）rmsを算出することを要する。まず、ＳＣ（Ｓｉｎｇｌｅ  Ｃｅｌｌ）−ＨＳＵＰＡにおける送信波形のべき乗の時間平均値の算出について説明する。加算部３０８を通過した後の信号をＩ＋ｊＱとし、２つのチャネルｘ，ｙが含まれているとした場合、Ｉ成分およびＱ成分は、下記（２）式のように表すことができる。なお、図３はＤＣ−ＨＳＵＰＡの構成を示しているが、ＳＣ−ＨＳＵＰＡの場合、Ｓセルがないため、Ｉ＋ｊＱはＩ1＋ｊＱ1と等価である。
【００６６】
【数２】
2016039465.tif 000004
【００６７】
上記（２）式において、βx，βyはチャネルｘ，ｙのゲインファクタ、ａxI，ａyI，ａxQ，ａyQはゲインファクタβを除く変調パラメータから算出されるチャネルｘ，ｙのＩ成分、Ｑ成分を示している。上記（１）式のＣＭの定義式に着目すると、ｒｍｓは２乗平均平方根を意味するので、後述の（１７）式を利用したＣＭ値の算出において（ｖ＿ｎｏｒｍ3）2rmsは、振幅の６乗平均つまり電力の３乗平均を求めればよいことになる。（ｖ＿ｎｏｒｍ3）2rmsと電力の３乗との関係については、下記（３）式のように表すことができる。
【００６８】
【数３】
2016039465.tif 000005
【００６９】
上記（３）式において、〈Ｘ〉は、Ｘの時間平均演算を示す。一例として、〈Ｉ2Ｑ4〉に上記（２）式を代入して展開すると、〈Ｉ2Ｑ4〉は下記（４）式のように表すことができる。
【００７０】
【数４】
2016039465.tif 000006
【００７１】
上記（４）式の計算の過程において、ａxI，ａyI，ａxQ，ａyQの奇数乗を含む項は、ａxI，ａyI，ａxQ，ａyQのランダム性から時間平均すると０になる。一方、ａxI，ａyI，ａxQ，ａyQの全てを含み且ついずれか一つの要素のみが３乗となる項は、ＨＰＳＫ変調（Ｈｙｂｒｉｄ  Ｐｈａｓｅ  Ｓｈｉｆｔ  Ｋｅｙｉｎｇ）の制約から平均値が０にならない。
【００７２】
上記（４）式の右辺の〈  〉に示す各相関時間平均値は、相関を取るチャネルの拡散コード、変調方式、拡散率、などから一意に決まる。そのため、送信フォーマットに応じて係数テーブル（図４の係数テーブル４００ａ，４００ｂ参照）の係数値データとして相関時間平均値を事前に算出して保持しておくことが可能である。
【００７３】
上記（４）式に示した相関時間平均値に限らず、上記（３）式に上記（２）式を代入して展開した他の全ての相関時間平均値についても、同様に計算して整理した結果を係数テーブルの係数値データとして保持しておく。ＭＰＲ値算出部２０６は、送信フォーマットと対象チャネルの組合せに応じて選択した係数値データを読み込み、対象チャネルのゲインファクタβとの積和演算を行うことにより、（ｖ＿ｎｏｒｍ3）2rmsを算出する。
【００７４】
ＤＣ−ＨＳＵＰＡにおいては、キャリア間のチャネルの相関とキャリア間の電力配分とを考慮してＭＰＲ値を算出する。ＤＣ−ＨＳＵＰＡにおいて、加算部３０８から出力される信号（Ｉ＋ｊＱ）は、下記（５）式のように表すことができる。
【００７５】
【数５】
2016039465.tif 000007
【００７６】
上記（５）式において、ｗ＝２π×（２．５×１０6）である。ｅ±jwtは±２．５ＭＨｚの周波数シフトを示す。これにより、（ｖ＿ｎｏｒｍ3）2rmsは、下記（６）式のように表すことができる。
【００７７】
【数６】
2016039465.tif 000008
【００７８】
〈｛（Ｉ＋ｊＱ）3｝2〉を展開することによって表れるＩ1，Ｑ1，Ｉ2，Ｑ2の奇数乗を含む項や、キャリア周波数を含む項は時間平均を行うと０になる。その結果、キャリア間でのキャリア周波数の相違に関係なく、Ｉ成分、Ｑ成分ごとにチャネルを多重して、電力値の３乗を計算する上記（３）式と同じ形式になることがわかった。
【００７９】
ここで、上記（２）式のように、送信信号に２つのチャネルｘ，ｙが含まれるものとする。一例として上記（３）式の一要素である〈Ｉ2Ｑ4〉を挙げると、〈Ｉ2Ｑ4〉は、上記（４）式のように表すことができる。この中のβ4xβ2yの係数の一要素〈ａxIａyIａ3xQａyQ〉は、上述したＳＣ−ＨＳＵＰＡの場合には相関が現れる。ＳＣ−ＨＳＵＰＡの場合、Ｉ成分、Ｑ成分は、それぞれで同じスクランブリングコードが掛け合わされて、１となるため、スクランブリングコードの影響を受けない。
【００８０】
ＤＣ−ＨＳＵＰＡにおいては、チャネルｘおよびチャネルｙがそれぞれ別のセルから送信される場合において、ＰセルとＳセルとで同じスクランブリングコードが適用されるときは、同様に相関が現れる。一方、チャネルｘおよびチャネルｙがそれぞれ別のセルから送信される場合において、２つのセルでスクランブリングコードが異なる場合は、相関がなくなり、〈ａxIａyIａ3xQａyQ〉＝０となる。同様に、〈ａxIａyIａxQａ3yQ〉についても０となる。
【００８１】
このように、ＤＣ−ＨＳＵＰＡの場合、ａxI，ａyI，ａxQ，ａyQの全てを含み且ついずれか一つの要素のみが３乗となる項については、スクランブリングコードが同じか否かの組み合わせに応じて値が異なる。
【００８２】
また、ＤＣ−ＨＳＵＰＡにおいても、偶数乗の成分は、同じ値が掛け合わされるため、スクランブリングコードの影響を受けない。このため、スクランブリングコードに相違がある場合、ＤＣ−ＨＳＵＰＡにおける〈Ｉ2Ｑ4〉は、下記（７）式のように表すことができる。
【００８３】
【数７】
2016039465.tif 000009
【００８４】
また、スクランブリングコードに相違がない場合、ＤＣ−ＨＳＵＰＡにおける〈Ｉ2Ｑ4〉は、上記（４）式のように表すことができる。このように、ＤＣ−ＨＳＵＰＡの場合は、各セルで使用されるスクランブリングコードの組み合わせにより、係数値データが異なる。このため、端末装置２００は、スクランブリングコードの組み合わせに応じた２つの係数テーブル（図４の係数テーブル４００ａ，４００ｂ参照）を予め用意しておく。これにより、端末装置２００は、スクランブリングコードの組み合わせに応じた係数テーブルを選択して係数値データを得ることができる。
【００８５】
また、送信時には各キャリアに割当てる電力が異なるため、ＤＣ−ＨＳＵＰＡにおける送信時のＩＱ成分は、下記（８）式のように表すことができる。
【００８６】
【数８】
2016039465.tif 000010
【００８７】
ここで、αは、複数のキャリア間における振幅の基準チャネルの振幅の比であり、例えば、ＰセルにおけるＤＰＣＣＨと、ＳセルにおけるＤＰＣＣＨとの振幅比である。また、各チャネルのゲインファクタβは、それぞれのキャリアにおいて、ＤＰＣＣＨを基準として表される。例えば、各セルにおいてＤＰＣＣＨのゲインファクタβは、１として表される。異なるキャリアにおける各ＤＰＣＣＨは、基準となる振幅が各キャリアの電力配分に応じて異なっている。そのため、ＰセルおよびＳセル間のＤＰＣＣＨの振幅比αを乗じることにより、例えば、各セルのゲインファクタβをＰセルのＤＰＣＣＨを基準とした相対値に補正することができる。
【００８８】
各キャリアのＤＰＣＣＨの振幅は、例えば送信フォーマット決定部２０１（図２参照）によって算出されるため、ＭＰＲ値算出部２０６は、ＤＰＣＣＨの振幅比αを得ることができる。ここで、αを考慮して（ｖ＿ｎｏｒｍ3）2rmsを算出するには、上記（７）式のβyをα×βyに置き換える。これにより、上記（７）式は、下記（９）式のように、キャリア間の電力比を考慮したチャネルの相関を示す式として表すことができる。
【００８９】
【数９】
2016039465.tif 000011
【００９０】
また、スクランブリングコードに相違がない場合は、ＭＰＲ値算出部２０６は、上記（４）式に示すβyをα×βyに置き換えた上記（４）式の変形式を用いる。このように、ＭＰＲ値算出部２０６は、ゲインファクタβを各セルのＤＰＣＣＨの振幅比αで補正する。そして、ＭＰＲ値算出部２０６は、スクランブリングコードの組み合わせに応じて選択した係数テーブルの係数値と、補正済みのゲインファクタβとの積和演算を行うことによって、ＤＣ−ＨＳＵＰＡのＭＰＲ値を少ない演算量で算出することができる。
【００９１】
このようにして算出されたＭＰＲ値は、電力制御部２０７へ出力される。そして、電力制御部２０７によって、Ｅ−ＤＰＤＣＨのゲインファクタβedは、ＭＰＲ値に応じた電力に補正される。
【００９２】
上述した説明では、説明を簡略化するため、２つのチャネルｘ，ｙを用いた場合について説明したが、（ｖ＿ｎｏｒｍ3）2rmsは、送信信号を３回掛け合わせているため、最大で３チャネルの相関の計算を要する。例えば、３つのチャネルをｘ，ｙ，ｚとすると、ゲインファクタβの組合せとしては、以下の組合せがある。
【００９３】
β6x，β6y，β6z
β4xβ2y，β4xβ2z，β4yβ2x，β4yβ2z，β4zβ2x，β4zβ2y
β2xβ2yβ2z
【００９４】
ＭＰＲ値算出部２０６は、上記のゲインファクタβの各組合せについて、係数値を予め計算しておけばよい。
【００９５】
ここで、上記（２）式を３つのチャネルに拡張した場合の式については、下記（１０）式のように表すことができる。
【００９６】
【数１０】
2016039465.tif 000012
【００９７】
上記（３）式に上記（１０）式を代入して展開すると、下記（１１）式を得る。
【００９８】
【数１１】
2016039465.tif 000013
【００９９】
上記（１１）式において、ｋ（ｘ，ｙ，ｚ）は、チャネルｘ，ｙ，ｚの組合せに対する相関時間平均値の総和を示す。チャネルｘ，ｙ，ｚは、重複可能であり、例えば図３において、異なるセルを示す＃１，＃２によって表すと、下記（１２）式に示すチャネルに該当する。
【０１００】
【数１２】
2016039465.tif 000014
【０１０１】
チャネルｘ，ｙ，ｚが重複した場合、ｋ（ｘ，ｘ，ｘ）はβ6x、ｋ（ｘ，ｘ，ｙ）はβ4xβ2yの項の係数となる。
【０１０２】
チャネル数が３の場合、上記（１１）式にキャリア間のＤＰＣＣＨの振幅比αを考慮すると、下記（１３）式を得る。
【０１０３】
【数１３】
2016039465.tif 000015
【０１０４】
ただし、ＤＰＣＣＨの振幅の基準をＰセル（セル＃１）として、ｎ∈｛ｘ，ｙ，ｚ｝に対して、下記（１４）式を得る。
【０１０５】
【数１４】
2016039465.tif 000016
【０１０６】
係数ｋ（ｘ，ｙ，ｚ）には、スクランブリングコードの組み合わせに応じて選択された第１係数テーブル４００ａまたは第２係数テーブル４００ｂの中から、送信フォーマットとチャネルの組合せに応じた値が取得される。３つのチャネルを用いた場合、スクランブリングコードの組み合わせは、例えば、全て同じ、２つ同じ、全て異なる、の３通りとなる。上記（１４）式のαnの番号ｎは、セルの番号を示すＮから１を減じた値であり、例えば、後述する実施の形態２のα1，α2（図１１参照）の番号に対応する。
【０１０７】
（実施の形態１にかかるＭＰＲ値算出部の構成の一例）
図４は、実施の形態１にかかるＭＰＲ値算出部の構成の一例を示す図である。図４に示すように、ＭＰＲ値算出部２０６は、テーブル記憶部４００と、ＭＰＲ値演算部４０１と、係数テーブルセレクタ４０２と、振幅補正部４０３と、を有する。
【０１０８】
テーブル記憶部４００は、第１係数テーブル４００ａと、第２係数テーブル４００ｂと、を記憶する。第１係数テーブル４００ａは、２つのセル＃１（Ｐセル）およびセル＃２（Ｓセル）のスクランブリングコードが同じ場合の係数値データを記憶する。第２係数テーブル４００ｂは、２つのセル＃１，＃２のスクランブリングコードが異なる場合の係数値データを記憶する。
【０１０９】
係数テーブルセレクタ４０２は、変調部２０４から各セル＃１，＃２のスクランブリングコードを取得する。係数テーブルセレクタ４０２は、各セル＃１，＃２のスクランブリングコードの相違の有無を判別し、判別結果に応じて、第１係数テーブル４００ａおよび第２係数テーブル４００ｂのいずれかを選択する。そして、テーブル記憶部４００は、選択した係数テーブル４００ａ，４００ｂの中から係数値データを取得する。
【０１１０】
係数テーブルセレクタ４０２は、例えば、各セル＃１，＃２のスクランブリングコードが相違しない場合、第１係数テーブル４００ａを選択する。また、係数テーブルセレクタ４０２は、例えば、各セル＃１，＃２のスクランブリングコードが相違する場合、第２係数テーブル４００ｂを選択する。係数テーブルセレクタ４０２は、選択した第１係数テーブル４００ａまたは第２係数テーブル４００ｂの中から取得した係数値データをＭＰＲ値演算部４０１へ出力する。
【０１１１】
振幅補正部４０３には、ＭＰＲ値算出部２０６が算出した、セル＃１およびセル＃２の各セル＃１，＃２間のＤＰＣＣＨの振幅比αが入力される。また、振幅補正部４０３には、送信フォーマット決定部２０１から出力された、セル＃２のゲインファクタβが入力される。例えば、２つのセル＃１，＃２のうちの一方のセル＃１のＤＰＣＣＨを１として基準とするため、振幅補正部４０３は、もう一方のセル＃２のゲインファクタβに、各セルのＤＰＣＣＨの振幅比αを乗じることによりゲインファクタβを補正する。また、振幅補正部４０３は、ＤＰＣＣＨの振幅比αを乗じたゲインファクタβをＭＰＲ値演算部４０１へ出力する。
【０１１２】
ＭＰＲ値演算部４０１には、係数テーブルセレクタ４０２によって取得された係数値データが入力される。また、ＭＰＲ値演算部４０１には、送信フォーマット決定部２０１から出力された、セル＃１のゲインファクタβが入力される。また、ＭＰＲ値演算部４０１には、振幅補正部４０３から出力された、各セル＃１，＃２のＤＰＣＣＨの振幅比αによって補正されたセル＃２のゲインファクタβが入力される。
【０１１３】
ＭＰＲ値演算部４０１は、係数テーブルセレクタ４０２からの係数値データと、送信フォーマット決定部２０１からのゲインファクタβと、振幅補正部４０３からの補正済みのゲインファクタβと、を用いて、積和演算を実行する。これにより、ＭＰＲ値算出部２０６は、（ｖ＿ｎｏｒｍ3）2rmsを算出することができ、ＭＰＲ値を算出することができる。
【０１１４】
（各セルの送信フォーマットの一例）
図５は、各セルの送信フォーマットの一例を示す図である。図５に示す送信フォーマット５００は、送信フォーマット決定部２０１によって決定されて出力される各セルの送信フォーマットである。図５に示すように、送信フォーマット５００は、Ｃａｓｅ  Ｎｏフィールドと、Ｅ−ＤＰＤＣＨコード数フィールドと、Ｅ−ＤＰＤＣＨ  ＳＦ（Ｓｐｒｅａｄｉｎｇ  Ｆａｃｔｏｒ：拡散率）フィールドと、変調方式フィールドと、を有する。
【０１１５】
Ｃａｓｅ  Ｎｏは、フォーマットデータ５０１を識別する番号である。Ｅ−ＤＰＤＣＨコード数は、Ｅ−ＤＰＤＣＨの多重コード数である。Ｅ−ＤＰＤＣＨ拡散率は、データを拡散する際の倍率である。変調方式は、ＢＰＳＫや、４ＰＡＭなどの変調方式である。
【０１１６】
各フィールドに情報を設定することにより、Ｃａｓｅ  Ｎｏと、Ｅ−ＤＰＤＣＨのコード数と、Ｅ−ＤＰＤＣＨの拡散率と、変調方式と、の組合せごとのフォーマットデータ５０１が送信フォーマット５００に記憶される。
【０１１７】
（複数のセルを組合せた送信フォーマットの一例）
図６は、複数のセルを組合せた送信フォーマットの一例を示す図である。図６に示す送信フォーマット６００は、送信フォーマット決定部２０１によって決定されて出力される複数のセルを組合せた送信フォーマットである。送信フォーマット６００は、送信フォーマット５００（図５参照）をセル数分（２つ分）組合せたフォーマットである。送信フォーマット６００は、送信フォーマット５００に示した各セルのＣａｓｅ  Ｎｏが対応付けられたフォーマットである。
【０１１８】
送信フォーマット６００は、Ｃａｓｅ  Ｎｏ（ＤＣ−ＨＳＵＰＡ）フィールドと、Ｃａｓｅ  Ｎｏ（セル＃１）フィールドと、Ｃａｓｅ  Ｎｏ（セル＃２）フィールドと、を有する。Ｃａｓｅ  Ｎｏ（ＤＣ−ＨＳＵＰＡ）は、Ｃａｓｅ  Ｎｏ（セル＃１）と、Ｃａｓｅ  Ｎｏ（セル＃２）との組合せを示すフォーマットデータ６０１を識別する番号である。Ｃａｓｅ  Ｎｏ（セル＃１）は、セル＃１のフォーマットデータ５０１（図５参照）を識別するための番号である。また、Ｃａｓｅ  Ｎｏ（セル＃２）は、セル＃２のフォーマットデータ５０１（図５参照）を識別するための番号である。
【０１１９】
各フィールドに情報を設定することにより、Ｃａｓｅ  Ｎｏ（ＤＣ−ＨＳＵＰＡ）と、Ｃａｓｅ  Ｎｏ（セル＃１）と、Ｃａｓｅ  Ｎｏ（セル＃２）と、の組合せごとのフォーマットデータ６０１が送信フォーマット６００に記憶される。
【０１２０】
（各係数テーブルの一例）
図７は、各係数テーブルの一例を示す図である。第１係数テーブル４００ａは、送信フォーマット６００（図６参照）に示した各Ｃａｓｅ  Ｎｏ（ＤＣ−ＨＳＵＰＡ）に対応する係数項ごとの係数値データ７０１を記憶する。具体的には、図７に示すように、第１係数テーブル４００ａは、係数項と、Ｃａｓｅ  Ｎｏ（ＤＣ−ＨＳＵＰＡ）と、を有する。
【０１２１】
係数項ｋ（ｘ，ｙ，ｚ）は、（ｖ＿ｎｏｒｍ3）2rmsにおけるチャネルの相関を計算する際のゲインファクタβの組合せを示す。例えば、同じチャネルであっても、セルが異なる場合は、別チャネルとして扱われる。係数項ｋのうちの＃１は、セル＃１（Ｐセル）に属するチャネルを示す。係数項ｋのうちの＃２は、セル＃２（Ｓセル）に属するチャネルを示す。
【０１２２】
例えば、ｋ（ｃ＃１，ｃ＃１，ｃ＃１）は、β2DPCCH#1β2DPCCH#1β2DPCCH#1（＝β6DPCCH#1）を示す。また、ｋ（ｅｄ＃１，ｅｄ＃１，ｃ＃１）は、β2E-DPDCH#1β2E-DPDCH#1β2DPCCH#1（＝β4E-DPDCH#1β2DPCCH#1）示す。また、ｋ（ｃ＃１，ｅｄ＃２，ｃ＃２）は、β2DPCCH#1β2E-DPDCH#2β2DPCCH#2を示す。また、ｋ（ｃ＃２，ｃ＃２，ｃ＃２）は、β2DPCCH#2β2DPCCH#2β2DPCCH#2（＝β6DPCCH#2）を示す。
【０１２３】
Ｃａｓｅ  Ｎｏ（ＤＣ−ＨＳＵＰＡ）は、Ｃａｓｅ  Ｎｏ（セル＃１）と、Ｃａｓｅ  Ｎｏ（セル＃２）との組合せを示すフォーマットデータ６０１（図６参照）を識別する番号である。係数値データ７０１−２を例に挙げると、Ｃａｓｅ  Ｎｏ（ＤＣ−ＨＳＵＰＡ）がＤＣ＿１の場合、β4E-DPDCH#1β2DPCCH#1の係数値には「４２」が選択される。また、係数値データ７０１−２において、Ｃａｓｅ  Ｎｏ（ＤＣ−ＨＳＵＰＡ）がＤＣ＿２の場合、β4E-DPDCH#1β2DPCCH#1の係数値には「１２０」が選択される。
【０１２４】
各フィールドに情報を設定することにより、係数項と、Ｃａｓｅ  Ｎｏ（ＤＣ−ＨＳＵＰＡ）と、の組合せごとの相関時間平均値を示す係数値データ７０１が第１係数テーブル４００ａに記憶される。第１係数テーブル４００ａは、チャネルｘ，ｙの組合せに応じて係数項が拡張され、また、送信フォーマットの組合せに応じてＣａｓｅ  Ｎｏ（ＤＣ−ＨＳＵＰＡ）が拡張される。
【０１２５】
図７においては、第２係数テーブル４００ｂの説明を省略するが、第２係数テーブル４００ｂも、例えば、第１係数テーブル４００ａと同様のテーブル構成であり、第１係数テーブル４００ａとは異なる係数値データが記憶されている。このように、端末装置２００は、係数テーブル４００ａ，４００ｂの中から、複数の物理チャネルの変調パラメータの組合せに対応し且つスクランブリングコードの相違の有無に対応する係数値データ７０１を取得することができる。
【０１２６】
（端末装置のハードウェア構成の一例）
図８は、端末装置のハードウェア構成の一例を示す図である。端末装置２００は、プロセッサ８０１と、ＲＯＭ（Ｒｅａｄ  Ｏｎｌｙ  Ｍｅｍｏｒｙ）８０２と、ＲＡＭ（Ｒａｎｄｏｍ  Ａｃｃｅｓｓ  Ｍｅｍｏｒｙ）８０３と、ユーザインタフェース８０４と、ＴＸ−ＨＷ（Ｔｒａｎｓｍｉｔ  ｅＸｃｈａｎｇｅ−Ｈａｒｄ  Ｗａｒｅ）８０５と、ＲＸ（Ｒｅｃｅｉｖｅｄ  ｅＸｃｈａｎｇｅ）−ＨＷ８０６と、ＲＦ−ＨＷ８０７と、アンテナ２０８と、を有する。
【０１２７】
プロセッサ８０１は、端末装置２００全体の制御を司る。プロセッサ８０１は、例えば、ＣＰＵ（Ｃｅｎｔｒａｌ  Ｐｒｏｃｅｓｓｉｎｇ  Ｕｎｉｔ）や、ＤＳＰ（Ｄｉｇｉｔａｌ  Ｓｉｇｎａｌ  Ｐｒｏｃｅｓｓｏｒ）などによって実現される。ＲＯＭ８０２は、ブートプログラムなどのプログラムなどを記憶する。ＲＡＭ８０３は、プロセッサ８０１のワークエリアとして使用される。
【０１２８】
ユーザインタフェース８０４は、例えば、ユーザからの操作入力を受け付ける入力デバイスや、ユーザへ情報を出力する出力デバイスなどを含む。入力デバイスは、例えば、タッチパネルやキー（例えばキーボード）やリモコンなどによって実現することができる。出力デバイスは、例えば、タッチパネルやディスプレイやスピーカなどによって実現することができる。
【０１２９】
ＴＸ−ＨＷ８０５は、送信データを符号化したり、符号化データを変調したりするハードウェアである。ＲＸ−ＨＷ８０６は、ベースバンド帯域の制御信号を復調したり、復調した信号を復号したりするハードウェアである。ＲＦ−ＨＷ８０７は、アンテナ２０８を介して受信した高周波信号をベースバンド信号へ変換し、また、変調した信号を高周波信号へ変換してアンテナ２０８を介して送信するハードウェアである。
【０１３０】
図２に示した、送信フォーマット決定部２０１と、送信データ処理部２０２と、ＭＰＲ値算出部２０６とは、例えばＲＯＭ８０２に記憶されたプログラムをプロセッサ８０１に実行させることにより、その機能を実現する。また、電力制御部２０７と、受信データ処理部２１１とは、例えばＲＯＭ８０２に記憶されたプログラムをプロセッサ８０１に実行させることにより、その機能を実現する。
【０１３１】
また、図２に示した、符号化部２０３と、変調部２０４とは、例えばＴＸ−ＨＷ８０５によって実現される。また、図２に示した、復調部２０９と、復号部２１０とは、ＲＸ−ＨＷ８０６によって実現される。また、図２に示したＲＦ部２０５は、ＲＦ−ＨＷ８０７によって実現される。
【０１３２】
（ＤＰＣＣＨ（個別制御チャネル）の送信電力の更新処理の一例）
図９は、ＤＰＣＣＨの送信電力の更新処理の一例を示すシーケンス図である。図９に示すように、端末装置２００は、通信開始時にＤＰＣＣＨの初期送信電力（ＰｏｗDPCCH）を設定する（ステップＳ９０１）。次に、端末装置２００は、ＤＰＣＣＨまたはＤＰＤＣＨ（個別物理データチャネル）を基地局９００に送信する（ステップＳ９０２）。
【０１３３】
基地局９００は、端末装置２００からＤＰＣＣＨまたはＤＰＤＣＨを受信すると、無線伝送路の品質を推定するための信号電力対干渉電力比（ＳＩＲ：Ｓｉｇｎａｌ  ｔｏ  Ｉｎｔｅｒｆｅｒｅｎｃｅ  Ｒａｔｉｏ）を測定する（ステップＳ９０３）。次に、基地局９００は、ＳＩＲが一定に保たれるように端末装置２００の送信電力の増減の判定を行う（ステップＳ９０４）。
【０１３４】
基地局９００は、送信電力の増減の判定結果に基づいて、端末装置２００へＴＰＣ（Ｔｒａｎｓｍｉｔ  Ｐｏｗｅｒ  Ｃｏｎｔｒｏｌ）コマンドを送信し（ステップＳ９０５）、一連の処理を終了する。ＴＰＣコマンドは、制御情報であり、ＤＰＣＣＨの送信電力の増減を指示する情報を含む。送信電力の増減の幅は、例えば±１ｄＢであり、予め通信の開始時に基地局９００によって指定される。
【０１３５】
端末装置２００は、基地局９００から受信したＴＰＣコマンドにしたがって、ＤＰＣＣＨの送信電力を更新し（ステップＳ９０６）、一連の処理を終了する。ステップＳ９０２〜Ｓ９０６の処理は、一定周期ごとに繰り返し行われる。
【０１３６】
ＤＣ−ＨＳＵＰＡの場合、図９に示した送信電力の更新をキャリアごとに行う。セル＃１（Ｐセル）のＤＰＣＣＨの送信電力［ｄＢ］をＰｏｗDPCCH1とし、セル＃２（Ｓセル）のＤＰＣＣＨの送信電力［ｄＢ］をＰｏｗDPCCH2とすると、セル＃１を基準にしたＤＰＣＣＨの振幅比αは、下記（１５）式のように表すことができる。
【０１３７】
【数１５】
2016039465.tif 000017
【０１３８】
端末装置２００は、ＭＰＲ値を算出する際には、最新のＤＰＣＣＨの送信電力ＰｏｗDPCCH1，ＰｏｗDPCCH2から得られるＤＰＣＣＨの振幅比αを用いる。
【０１３９】
（実施の形態１にかかる端末装置のＭＰＲ値の算出処理の一例）
図１０は、実施の形態１にかかる端末装置のＭＰＲ値の算出処理の一例を示すフローチャートである。図１０に示すように、端末装置２００は、送信フォーマット５００（図５参照）の変調パラメータを取得する（ステップＳ１００１）。送信フォーマット５００の変調パラメータは、Ｅ−ＤＰＤＣＨコード数、Ｅ−ＤＰＤＣＨ拡散率、変調方式、などである。
【０１４０】
次に、端末装置２００は、取得した変調パラメータを用いて、送信フォーマット５００および送信フォーマット６００（図６参照）のうちのいずれのＣａｓｅ  Ｎｏに該当するかを判定する（ステップＳ１００２）。次に、端末装置２００は、各セルの全チャネルのゲインファクタβを取得する（ステップＳ１００３）。
【０１４１】
次に、端末装置２００は、セル間のＤＰＣＣＨの振幅比αを算出する（ステップＳ１００４）。次に、端末装置２００は、各チャネルが属するセルにおいて用いられる、各セルのスクランブリングコードを取得する（ステップＳ１００５）。次に、端末装置２００は、（ｖ＿ｎｏｒｍ3）rms＝０とする初期化を行う（ステップＳ１００６）。
【０１４２】
次に、端末装置２００は、チャネルの組合せのうちの未選択のチャネルの組合せを選択する（ステップＳ１００７）。次に、端末装置２００は、ステップＳ１００５において取得した各セルのスクランブリングコードの組み合わせの判定として、スクランブリングコードが同じであるか否かを判定する（ステップＳ１００８）。
【０１４３】
スクランブリングコードが同じである場合（ステップＳ１００８：Ｙｅｓ）、端末装置２００は、第１係数テーブル４００ａ（図７参照）を選択し（ステップＳ１００９）、ステップＳ１０１１に移行する。スクランブリングコードが異なる場合（ステップＳ１００８：Ｎｏ）、端末装置２００は、第２係数テーブル４００ｂ（図７参照）を選択する（ステップＳ１０１０）。
【０１４４】
次に、端末装置２００は、選択した第１係数テーブル４００ａまたは第２係数テーブル４００ｂの中から、Ｃａｓｅ  Ｎｏ（ＤＣ−ＨＳＵＰＡ）に対応する係数項ｋ（ｘ，ｙ，ｚ）の係数値データ７０１（図７参照）を取得する（ステップＳ１０１１）。次に、端末装置２００は、ステップＳ１００３で取得したゲインファクタβと、ステップＳ１００４で算出したＤＰＣＣＨの振幅比αと、ステップＳ１０１１で取得した係数値データ７０１と、を用いてチャネル相関値ｖを算出する（ステップＳ１０１２）。チャネル相関値ｖは、例えば、下記（１６）式のように表すことができる。
【０１４５】
【数１６】
2016039465.tif 000018
【０１４６】
次に、端末装置２００は、（ｖ＿ｎｏｒｍ3）rmsにチャネル相関値ｖを加算して代入する（ステップＳ１０１３）。次に、端末装置２００は、チャネル相関値ｖの算出および加算が全ての組合せについて完了したか否かを判定する（ステップＳ１０１４）。
【０１４７】
チャネル相関値ｖの算出および加算が全ての組合せについて完了していない場合（ステップＳ１０１４：Ｎｏ）、端末装置２００は、ステップＳ１００７に移行する。チャネル相関値ｖの算出および加算が全ての組合せについて完了した場合（ステップＳ１０１４：Ｙｅｓ）、端末装置２００は、ステップＳ１０１３において得た（ｖ＿ｎｏｒｍ3）rmsおよび上記（１）式を用いてＭＰＲ値を算出し（ステップＳ１０１５）、一連の処理を終了する。端末装置２００は、ステップＳ１０１５において算出したＭＰＲ値に基づいて制御した送信電力により、複数のセルで生成した各信号を送信する。
【０１４８】
以上説明したように、実施の形態１にかかる端末装置２００では、予めスクランブルコードの相違を考慮した振幅比情報を除く複数の変調パラメータの組み合わせを計算して記憶しておくので、送信波形のべき乗の時間平均値を算出するための相関時間平均値を導出することができる。そして、端末装置２００は、導出した相関時間平均値およびゲインファクタβに加えて各キャリアのＤＰＣＣＨの振幅比αを用いた積和演算により、各キャリアの電力配分に応じた送信波形のべき乗の時間平均値を算出することができる。このため、端末装置２００は、複数のキャリアで生成した各信号を同時に送信する場合における最大送信電力のＭＰＲ値を、例えば変調した送信信号の振幅から算出する場合に比べて少ない演算量で算出することができる。
【０１４９】
また、端末装置２００は、ＭＰＲ値の算出において、係数テーブル４００ａ，４００ｂに記憶した相関の時間平均値を取得することにより、相関時間平均値を算出しなくても導出することができる。このため、端末装置２００は、複数のキャリアで生成した各信号を同時に送信する場合における最大送信電力のＭＰＲ値を少ない演算量で算出することができる。
【０１５０】
また、端末装置２００は、スクランブリングコードの組み合わせに応じた相関時間平均値を取得するため、相関時間平均値を簡単に導出することができる。したがって、端末装置２００は、複数のキャリアにおける最大送信電力のＭＰＲ値を少ない演算量で算出することができる。
【０１５１】
また、端末装置２００は、基地局９００から受信した制御情報に基づいてキャリア間のＤＰＣＣＨの振幅比αを算出できる。これにより、端末装置２００は、送信波形のべき乗の時間平均値を算出することができる。
【０１５２】
また、端末装置２００は、算出した送信波形のべき乗の時間平均値に基づいて送信電力を制御した多重信号を送信する。このため、端末装置２００は、デュアルセルにおいて少ない演算量で算出したＭＰＲ値を用いて最大送信電力の低減を行った多重信号を送信することができる。
【０１５３】
（実施の形態２）
次に、端末装置の実施の形態２について説明する。実施の形態１では、２つのセルによるＤＣ−ＨＳＵＰＡについて説明したが、実施の形態２では３つ以上のセルによるＨＳＵＰＡについて説明する。実施の形態２においては、実施の形態１と異なる部分について説明を行う。実施の形態２では３つのセルによるＨＳＵＰＡについて説明するが、４つ以上のセルによるＨＳＵＰＡについても同様である。
【０１５４】
（実施の形態２にかかるＭＰＲ値算出部の構成の一例）
図１１は、実施の形態２にかかるＭＰＲ値算出部の構成の一例を示す図である。図１１において、テーブル記憶部４００は、第１係数テーブル４００ａと、第２係数テーブル４００ｂと、第３係数テーブル１１００と、を記憶する。第１係数テーブル４００ａは、セル＃１，＃２，＃３のスクランブリングコードが全て同じ場合の係数値データを記憶する。第２係数テーブル４００ｂは、セル＃１，＃２，＃３のスクランブリングコードの組合せのうちの２つが同じの場合の係数値データを記憶する。第３係数テーブル１１００は、３つのセル＃１，＃２，＃３のスクランブリングコードが全て異なる場合の係数値データを記憶する。
【０１５５】
係数テーブルセレクタ４０２は、変調部２０４から各セル＃１，＃２，＃３のスクランブリングコードを取得する。係数テーブルセレクタ４０２は、各セル＃１，＃２，＃３のスクランブリングコードの組み合わせを判別し、判別結果に応じて、第１係数テーブル４００ａ、第２係数テーブル４００ｂおよび第３係数テーブル１１００のうちのいずれかを選択する。そして、係数テーブルセレクタ４０２は、選択したテーブル４００ａ，４００ｂ，１１００の中から係数値データを取得する。
【０１５６】
係数テーブルセレクタ４０２は、例えば、各セル＃１，＃２，＃３のスクランブリングコードが全て同じ場合、第１係数テーブル４００ａを選択する。また、係数テーブルセレクタ４０２は、各セル＃１，＃２，＃３のスクランブリングコードのうちの２つが同じ場合、第２係数テーブル４００ｂを選択する。また、係数テーブルセレクタ４０２は、各セル＃１，＃２，＃３のスクランブリングコードが全て異なる場合、第３係数テーブル１１００を選択する。係数テーブルセレクタ４０２は、選択した、第１係数テーブル４００ａ、第２係数テーブル４００ｂまたは第３係数テーブル１１００、の中から取得した係数値データをＭＰＲ値演算部４０１へ出力する。
【０１５７】
第１振幅補正部４０３ａには、ＭＰＲ値算出部２０６が算出した、セル＃１およびセル＃２の各セル間のＤＰＣＣＨの振幅比α１が入力される。また、第１振幅補正部４０３ａには、送信フォーマット決定部２０１から出力された、セル＃２のゲインファクタβが入力される。例えば、セル＃１，＃２のうち、セル＃１のＤＰＣＣＨを１として基準とするため、第１振幅補正部４０３ａは、セル＃２のゲインファクタβに、セル＃１，＃２間のＤＰＣＣＨの振幅比α１を乗じることによりゲインファクタβを補正する。第１振幅補正部４０３ａは、ＤＰＣＣＨの振幅比α１を乗じたゲインファクタβをＭＰＲ値演算部４０１へ出力する。
【０１５８】
第２振幅補正部４０３ｂには、ＭＰＲ値算出部２０６が算出した、セル＃１およびセル＃３の各セル間のＤＰＣＣＨの振幅比α２が入力される。また、第２振幅補正部４０３ｂには、送信フォーマット決定部２０１から出力された、セル＃３のゲインファクタβが入力される。例えば、セル＃１，＃３のうち、セル＃１のＤＰＣＣＨを１として基準とするため、第２振幅補正部４０３ｂは、セル＃３のゲインファクタβに、セル＃１，＃３間のＤＰＣＣＨの振幅比α２を乗じることによりゲインファクタβを補正する。第２振幅補正部４０３ｂは、ＤＰＣＣＨの振幅比α２を乗じたゲインファクタβをＭＰＲ値演算部４０１へ出力する。
【０１５９】
ＭＰＲ値演算部４０１には、係数テーブルセレクタ４０２によって取得された係数値データが入力される。また、ＭＰＲ値演算部４０１には、送信フォーマット決定部２０１から出力された、セル＃１のゲインファクタβが入力される。また、ＭＰＲ値演算部４０１には、第１振幅補正部４０３ａから、セル＃１，＃２間のＤＰＣＣＨの振幅比α１によって補正されたセル＃２のゲインファクタβが入力される。また、ＭＰＲ値演算部４０１には、第２振幅補正部４０３ｂから、セル＃１，＃３間のＤＰＣＣＨの振幅比α２によって補正されたセル＃３のゲインファクタβが入力される。
【０１６０】
ＭＰＲ値演算部４０１は、係数テーブルセレクタ４０２からの係数値データと、送信フォーマット決定部２０１、第１振幅補正部４０３ａおよび第２振幅補正部４０３ｂからのゲインファクタβと、を用いて、積和演算を実行する。これにより、ＭＰＲ値算出部２０６は、送信波形のべき乗の時間平均値を算出して、ＭＰＲ値を算出することができる。
【０１６１】
（実施の形態２にかかる端末装置のＭＰＲ値の算出処理の一例）
図１２Ａは、実施の形態２にかかる端末装置のＭＰＲ値の算出処理の一例を示すフローチャート（その１）である。図１２Ｂは、実施の形態２にかかる端末装置のＭＰＲ値の算出処理の一例を示すフローチャート（その２）である。図１２Ａおよび図１２Ｂに示す処理において、図１０に示した処理とは異なるステップＳ１２０１〜Ｓ１２０６について説明する。
【０１６２】
端末装置２００は、各セル＃１，＃２，＃３の全チャネルのゲインファクタβを取得した後（ステップＳ１００３）、各セル＃１，＃２，＃３間のＤＰＣＣＨの振幅比α1，α2を算出し（ステップＳ１２０１）、ステップＳ１００５に移行する。
【０１６３】
また、端末装置２００は、チャネルの組合せのうちの未選択のチャネルの組合せを選択した後（ステップＳ１００７）、各チャネルが属するセル＃１，＃２，＃３で使用する３つのスクランブリングコードが全て同じであるか否かを判定する（ステップＳ１２０２）。ステップＳ１２０２においては、ステップＳ１００５において取得したスクランブリングコードを用いて判定が行われる。
【０１６４】
スクランブリングコードが全て同じである場合（ステップＳ１２０２：Ｙｅｓ）、端末装置２００は、第１係数テーブル４００ａを選択し（ステップＳ１２０３）、ステップＳ１０１１に移行する。３つのスクランブリングコードが全て同じではない場合（ステップＳ１２０２：Ｎｏ）、端末装置２００は、３つのスクランブリングコードのうちの２つが同じであるか否かを判定する（ステップＳ１２０４）。
【０１６５】
３つのスクランブリングコードのうちの２つが同じである場合（ステップＳ１２０４：Ｙｅｓ）、端末装置２００は、第２係数テーブル４００ｂを選択し（ステップＳ１２０５）、ステップＳ１０１１に移行する。
【０１６６】
３つのスクランブリングコードのうちの２つが同じではない場合（ステップＳ１２０４：Ｎｏ）、つまりスクランブリングコードが全て異なる場合、端末装置２００は、第３係数テーブル１１００を選択し（ステップＳ１２０６）、ステップＳ１０１１に移行する。
【０１６７】
また、ステップＳ１０１２のチャネル相関値ｖを算出においては、ステップＳ１００３で取得したゲインファクタβと、ステップＳ１２０１で算出したＤＰＣＣＨの振幅比α1，α2と、ステップＳ１０１１で取得した係数値データ７０１と、が用いられる。
【０１６８】
以上説明したように、実施の形態２にかかる端末装置２００は、実施の形態１と同様の効果を得ることができる。また、実施の形態２にかかる端末装置２００は、予め計算され、記憶されたスクランブルコードの相違を考慮した相関時間平均値と、ゲインファクタβとに加えて、キャリア＃１を基準としたキャリア＃２，＃３のＤＰＣＣＨの振幅比α１，ａ２を用いた積和演算を行う。これにより、キャリア＃１を基準としたキャリア＃２，＃３の電力配分に応じた送信波形のべき乗の時間平均値を算出することができる。このため、端末装置２００は、キャリアが３つ以上の場合における各キャリアで生成した各信号を同時に送信する場合における最大送信電力のＭＰＲ値を少ない演算量で算出することができる。
【０１６９】
ここで、例えば、（ｖ＿ｎｏｒｍ3）2rmsを、上述した特許文献１のように変調した送信信号から規格通りに算出する方法がある。特許文献１の方法によって（ｖ＿ｎｏｒｍ3）2rmsを算出する場合は、下記（１７）式のようにＣＭ算出式の一部を変形した式が用いられる。
【０１７０】
【数１７】
2016039465.tif 000019
【０１７１】
特許文献１のようにベースバンド信号から（ｖ＿ｎｏｒｍ3）2rmsを算出する方法では、例えば、誤差０．１ｄＢの精度でＣＭ値を算出するには、１００シンボル程度の変調処理および時間平均処理を要するため演算量が多くなってしまう。１シンボルは２５６チップの複素信号で構成されるので、時間平均処理では各チップのＩＱ信号から電力値の３乗値を算出するのに（乗算４回＋加算１回）×２５６チップ×１００シンボル分の演算が必要で、１００シンボル分の平均（加算）を行うのに、加算２５６×１００回が必要となる。さらにデータの変調処理演算も必要である。
【０１７２】
また、上述した特許文献２の方法では、送信信号に多重される各チャネル間の振幅比であるゲインファクタβと、予め算出されたゲインファクタ以外の変調パラメータで決定されたチャネル間の相関値と、が用いられる。特許文献２の方法では、全てのチャネルの組合せについてゲインファクタとチャネル間の相関値とを掛け合わせた値の総和から、（ｖ＿ｎｏｒｍ3）2rmsが算出される。
【０１７３】
特許文献２の方法では、ＤＣ−ＨＳＵＰＡにおけるＭＰＲ値の算出については考慮されていない。ＤＣ−ＨＳＵＰＡでは、キャリア間で割当てた電力の違いにより相関の大きさが変化する。また、セル間のスクランブリングコードの相違により相関の値が変化する。このため、ＳＣ−ＨＳＵＰＡにおけるＭＰＲ値の算出方法をＤＣ−ＨＳＵＰＡに適用するとセル間のスクランブルコードの相違を考慮した相関時間平均値の演算がその都度必要となり、ＳＣ−ＨＳＵＰＡにおけるＭＰＲ値の算出に比べて演算量が多くなってしまう。
【０１７４】
これに対して、実施の形態１，２の端末装置２００は、送信信号を生成しなくても、予め計算しておいた相関時間平均値を用いて、送信波形のべき乗の時間平均値を算出することができる。また、端末装置２００は、スクランブリングコードの相違を考慮した相関時間平均値およびゲインファクタβに加えて各キャリアのＤＰＣＣＨの振幅比αを用いた積和演算により、各キャリアのスクランブリングコード、および、電力配分に応じた送信波形のべき乗の時間平均値を算出することができる。
【０１７５】
このため、端末装置２００は、複数のキャリアにおける各キャリアで生成した各信号を同時に送信する場合における最大送信電力のＭＰＲ値を少ない演算量で算出することができる。例えば図３のように、２つのキャリアで計７チャネルの送信を行う場合、チャネル間の相関組み合わせパターンは８４通りある。各チャネル相関は、上記（１６）式より計９回の乗算で算出でき、それらの総和を計算するには、乗算９回×８４ ＋加算１回×(８４−１)の演算量で（ｖ＿ｎｏｒｍ3）2rmsを算出可能である。
【０１７６】
上述した実施の形態１，２に関し、さらに以下の付記を開示する。
【０１７７】
（付記１）複数の物理チャネルを多重した信号を複数のキャリアで生成し、前記複数のキャリアで生成した各信号を同時に送信する通信装置であって、
記憶された複数のキャリア間で使用されるスクランブルコードの組み合わせに応じた前記複数の物理チャネルの変調パラメータを用いて導出された前記複数の物理チャネル間の相関の時間平均値と、前記複数のキャリア間の基準チャネルの振幅の比で補正した前記複数の物理チャネルの振幅の比を示す振幅比情報と、に基づいて、前記複数のキャリアで生成した各信号を多重した信号の送信波形のべき乗の時間平均値を算出する算出部を有することを特徴とする通信装置。
【０１７８】
（付記２）前記相関の時間平均値を前記複数の物理チャネルの変調パラメータの組み合わせごとに記憶する記憶部を有し、
前記算出部は、前記記憶部に記憶された前記相関の時間平均値の中から前記複数の物理チャネルの変調パラメータを用いて選択した相関の時間平均値に基づいて前記送信波形のべき乗の時間平均値を算出することを特徴とする付記１に記載の通信装置。
【０１７９】
（付記３）前記相関の時間平均値を、前記複数のキャリア間におけるスクランブリングコードの組み合わせに応じて記憶する記憶部を有し、
前記算出部は、前記記憶部に記憶された前記相関の時間平均値の中から前記複数のキャリアのスクランブリングコードを用いて選択した相関の時間平均値に基づいて前記送信波形のべき乗の時間平均値を算出することを特徴とする付記１または２に記載の通信装置。
【０１８０】
（付記４）前記各信号を、前記算出部によって算出された前記送信波形のべき乗の時間平均値に基づく送信電力によって送信する送信部を有することを特徴とする付記１〜３のいずれか一つに記載の通信装置。
【０１８１】
（付記５）前記基準チャネルの振幅は、前記各信号の送信先の通信装置から受信した制御情報に基づいて設定される振幅であり、
前記算出部は、前記基準チャネルの振幅に基づいて前記複数のキャリア間における振幅の比を算出し、算出した振幅の比に基づいて前記送信波形のべき乗の時間平均値を算出することを特徴とする付記１〜４のいずれか一つに記載の通信装置。
【０１８２】
（付記６）前記変調パラメータは、コード数、拡散率、変調方式およびチャネライゼーションコードのうちの少なくとも一つを含むことを特徴とする付記１〜５のいずれか一つに記載の通信装置。
【０１８３】
（付記７）複数の物理チャネルを多重した信号を複数のキャリアで生成し、前記複数のキャリアで生成した各信号を同時に送信する通信装置の処理方法であって、
前記複数の物理チャネルの振幅の比を示す振幅比情報と、前記振幅比情報とは異なる前記複数の物理チャネルの変調パラメータを用いて導出された前記複数の物理チャネル間の相関の時間平均値と、前記複数の物理チャネルに含まれる振幅の基準チャネルの前記複数のキャリア間における振幅の比と、セル間のスクランブリングコードの相違と、に基づいて、前記複数のキャリアで生成した各信号を多重した信号の送信波形のべき乗の時間平均値を算出することを特徴とする処理方法。
【０１８４】
（付記８）前記相関の時間平均値を前記複数の物理チャネルの変調パラメータの組み合わせごとに予め計算しておき、
前記相関の時間平均値の中から前記複数の物理チャネルの変調パラメータを用いて選択した相関の時間平均値に基づいて前記送信波形のべき乗の時間平均値を算出することを特徴とする付記７に記載の処理方法。
【０１８５】
（付記９）前記相関の時間平均値を、前記複数のキャリア間におけるスクランブリングコードの組み合わせごとに予め計算しておき、
前記相関の時間平均値の中から前記複数のキャリアのスクランブリングコードを用いて選択した相関の時間平均値に基づいて前記送信波形のべき乗の時間平均値を算出することを特徴とする付記７または８に記載の処理方法。
【符号の説明】
【０１８６】
１００  通信装置
１０１  送信部
１０２  算出部
１０３  記憶部
２００  端末装置
２０１  送信フォーマット決定部
２０２  送信データ処理部
２０３  符号化部
２０４  変調部
２０５  ＲＦ部
２０６  ＭＰＲ値算出部
２０７  電力制御部
２０８  アンテナ
２０９  復調部
２１０  復号部
２１１  受信データ処理部
３０１ａ〜３０１ｇ  拡散部
３０２ａ〜３０２ｇ，３０５ａ，３０５ｂ  乗算部
３０３ａ〜３０３ｇ  ＩＱマッピング部
３０４ａ，３０４ｂ，３０８  加算部
３０６ａ，３０６ｂ  ＲＲＣフィルタ
３０７ａ，３０７ｂ  周波数シフト部
４００  テーブル記憶部
４００ａ  第１係数テーブル
４００ｂ  第２係数テーブル
４０１  ＭＰＲ値演算部
４０２  係数テーブルセレクタ
４０３  振幅補正部
４０３ａ  第１振幅補正部
４０３ｂ  第２振幅補正部
５００，６００  送信フォーマット
８０１  プロセッサ
８０２  ＲＯＭ
８０３  ＲＡＭ
１１００  第３係数テーブル
【図１】
2016039465.tif 000020
【図２】
2016039465.tif 000021
【図３】
2016039465.tif 000022
【図４】
2016039465.tif 000023
【図５】
2016039465.tif 000024
【図６】
2016039465.tif 000025
【図７】
2016039465.tif 000026
【図８】
2016039465.tif 000027
【図９】
2016039465.tif 000028
【図１０】
2016039465.tif 000029
【図１１】
2016039465.tif 000030
【図１２Ａ】
2016039465.tif 000031
【図１２Ｂ】
2016039465.tif 000032